(57)【要約】      （修正有）【課題】タブレット成型時に成型金型の杵型や臼型の表面に付着することがなく、優れた機械的強度を有するタブレット成型体を得ることが可能な熱硬化性光反射用樹脂組成物、ならびに当該樹脂組成物を用いた光半導体素子搭載用基板とその製造方法および光半導体装置を提供する。【解決手段】熱硬化性光反射用樹脂組成物は、Ａ）エポキシ樹脂、（Ｂ）硬化剤、（Ｃ）硬化触媒、（Ｄ）無機充填剤、（Ｅ）白色顔料、および（Ｆ）カップリング剤を含む樹脂組成物において、（Ｄ）無機充填剤および（Ｅ）白色顔料の少なくとも一方の成分として、多孔質充填剤または吸油性を有する化合物を含み、当該樹脂組成物を用いた半導体素子搭載用基板とその製造方法および光半導体装置である。【選択図】図４
2014225675.tif 000002
【特許請求の範囲】
【請求項１】
光半導体素子搭載領域となる凹部が１つ以上形成され、少なくとも前記凹部の内周側面が光反射用熱硬化性樹脂組成物からなる光半導体素子搭載用基板と、
前記光半導体素子搭載用基板の凹部底面に搭載されたＬＥＤと、
前記ＬＥＤを覆うように前記凹部内に形成された蛍光体含有透明封止樹脂層と、
を少なくとも備えるＬＥＤデバイスであって、
前記光反射用熱硬化性樹脂組成物が、エポキシ樹脂、硬化剤、無機充填剤、および白色顔料を含み、前記無機充填剤および前記白色顔料の少なくとも一方の成分として、多孔質充填剤または吸油性を有する化合物を含むことを特徴とするＬＥＤデバイス。
【請求項２】
前記多孔質充填剤または吸油性を有する化合物の形状が、真球状、破砕状、円盤状、棒状、繊維状からなる群の中から選ばれる少なくとも１種であることを特徴とする請求項１に記載のＬＥＤデバイス。
【請求項３】
前記多孔質充填剤または吸油性を有する化合物が、シリカ、アルミナ、酸化マグネシウム、酸化アンチモン、酸化チタン、酸化ジルコニウム、水酸化アルミニウム、水酸化マグネシウム、硫酸バリウム、炭酸マグネシウム、炭酸バリウム、ゼオライト、ノルボルネンゴム、アクリロニトリル・ブタジエン・スチレン共重合樹脂からなる群の中から選ばれる少なくとも１種であることを特徴とする請求項１または２に記載のＬＥＤデバイス。
【請求項４】
前記多孔質充填剤または吸油性を有する化合物の表面が、疎水化処理または親水化処理されていることを特徴とする請求項１〜３のいずれかに記載のＬＥＤデバイス。
【請求項５】
前記多孔質充填剤または吸油性を有する化合物の見掛け密度が、０．４ｇ／ｃｍ３以上であることを特徴とする請求項１〜４のいずれかに記載のＬＥＤデバイス。
【請求項６】
前記無機充填剤および前記白色顔料の合計量を基準として、前記多孔質充填剤または吸油性を有する化合物の含有量が、０．１体積％〜２０体積％の範囲であることを特徴とする請求項１〜５のいずれかに記載のＬＥＤデバイス。
【請求項７】
前記無機充填剤が、多孔質構造または吸油性を持たないシリカ、水酸化アルミニウム、水酸化マグネシウム、硫酸バリウム、炭酸マグネシウム、炭酸バリウムからなる群の中から選ばれる少なくとも１種を含むことを特徴とする請求項１〜６のいずれかに記載のＬＥＤデバイス。
【請求項８】
前記白色顔料が、アルミナ、酸化マグネシウム、酸化アンチモン、酸化チタン、酸化ジルコニウム、無機中空粒子からなる群の中から選ばれる少なくとも１種であることを特徴とする請求項１〜７のいずれかに記載のＬＥＤデバイス。
【請求項９】
前記白色顔料の平均粒径が、０．１〜５０μｍの範囲にあることを特徴とする請求項１〜８のいずれかに記載のＬＥＤデバイス。
【請求項１０】
前記無機充填剤と前記白色顔料の合計含有量が、樹脂組成物全体に対して、１０体積％〜８５体積％の範囲であることを特徴とする請求項１〜９のいずれかに記載のＬＥＤデバイス。
【請求項１１】
少なくとも前記凹部が光反射用熱硬化性樹脂組成物を用いたトランスファー成型により形成されたことを特徴とする請求項１〜１０のいずれかに記載のＬＥＤデバイス。
【発明の詳細な説明】
【技術分野】
【０００１】
本発明は、光半導体素子と蛍光体等の波長変換手段とを組み合わせた光半導体装置に用いる熱硬化性光反射用樹脂組成物、ならびに当該樹脂組成物を用いた光半導体素子搭載用基板とその製造方法および光半導体装置に関する。
【背景技術】
【０００２】
光半導体素子を利用した光半導体装置として、図５に示すような構成のＳＭＤ（Ｓｕｒｆａｃｅｍｏｕｎｔｅｄ  ｄｅｖｉｃｅ）タイプのＬＥＤ（Ｌｉｇｈｔ  Ｅｍｉｔｔｉｎｇ  Ｄｉｏｄｅ）が知られている。このＬＥＤは、通常、マウント基板リフレクターに形成されたカップ状部（凹部）に発光素子が配置され、さらに当該発光素子が配置されたカップ状部に蛍光体を含有する透明封止樹脂が充填されている。リフレクターは、発光素子から側方に放射された光をその表面で拡散反射して軸方向に分配し、これによって軸上強度を高めることを目的として使用されている。
近年、ＬＥＤ等の光半導体装置は、高エネルギー効率、長寿命等の利点を有することから、屋外用ディスプレイ、携帯液晶バックライト、車載用途等その需要を拡大しつつある。これに伴いＬＥＤデバイスの高輝度化が進み、素子の発熱量増大によるジャンクション温度の上昇、あるいは直接的な光エネルギーの増大による材料の耐熱劣化・耐光劣化が課題となっている。特許文献１には、耐熱試験後の光反射特性に優れる熱硬化性光反射用樹脂組成物を成型してなる光半導体素子搭載用基板が開示されている。
【先行技術文献】
【特許文献】
【０００３】
【特許文献１】特開２００６−１４０２０７号公報
【発明の概要】
【発明が解決しようとする課題】
【０００４】
熱硬化性光反射用樹脂組成物を成型する場合は、例えば、当該樹脂組成物を、臼型と杵型の成型金型を用いて、円筒状のタブレットに加圧成型した後、当該タブレットをトランスファー成型により所望の形状に成型する。しかし、従来の熱硬化性光反射用樹脂組成物は、タブレット成型時に用いる臼型や杵型の表面に付着し易く、それによってタブレットの破壊が生じ易いという問題がある。図１は、成型金型を使用して熱硬化性樹脂からなるタブレットを成型する際の金型に対する樹脂組成物の付着を説明する概略図である。図中、参照符号１は臼型、２は上杵型、３は下杵型、４は樹脂組成物（タブレット）、５は杵に付着した樹脂組成物であり、図では樹脂組成物が金型表面に付着し、タブレットが破壊した様子を示している。また、従来の熱硬化性光反射用樹脂組成物から成るタブレットは外力に対する機械的強度が低く、タブレット完成後のひび割れ等が生じ易いという問題がある。
上記を鑑みて、本発明は、タブレット成型時に成形金型の杵型や臼型の表面に付着することがなく、優れた機械的強度を有するタブレット成型体を得ることが可能な熱硬化性光反射用樹脂組成物、ならびに当該樹脂組成物を用いた光半導体素子搭載用基板とその製造方法および光半導体装置を提供することを目的とする。
【課題を解決するための手段】
【０００５】
本発明者らは、上記課題を解決するために鋭意検討を行った結果、光半導体用熱硬化性光反射用樹脂組成物の無機充填剤として、従来から用いられている無機充填剤の他に、微細孔を多数有する無機充填剤（以下、多孔質充填剤と呼ぶ。）または吸油性を有する化合物を用いることにより、上記目的が達成されることを見出し、この知見に基づいて本発明を完成するに至った。
【０００６】
すなわち、本発明は、以下（１）〜（１４）に記載の事項をその特徴とするものである。
【０００７】
（１）（Ａ）エポキシ樹脂、（Ｂ）硬化剤、（Ｃ）硬化触媒、（Ｄ）無機充填剤、（Ｅ）白色顔料、および（Ｆ）カップリング剤を含む樹脂組成物において、上記（Ｄ）無機充填剤および上記（Ｅ）白色顔料の少なくとも一方の成分として、多孔質充填剤または吸油性を有する化合物を含むことを特徴とする熱硬化性光反射用樹脂組成物。
【０００８】
（２）上記多孔質充填剤または吸油性を有する化合物の形状が、真球状、破砕状、円盤状、棒状、繊維状からなる群の中から選ばれる少なくとも１種であることを特徴とする上記（１）に記載の熱硬化性光反射用樹脂組成物。
【０００９】
（３）上記多孔質充填剤または吸油性を有する化合物が、シリカ、アルミナ、酸化マグネシウム、酸化アンチモン、酸化チタン、酸化ジルコニウム、水酸化アルミニウム、水酸化マグネシウム、硫酸バリウム、炭酸マグネシウム、炭酸バリウム、ゼオライト、ノルボルネンゴム、アクリロニトリル・ブタジエン・スチレン共重合樹脂からなる群の中から選ばれる少なくとも１種であることを特徴とする上記（１）または（２）に記載の熱硬化性光反射用樹脂組成物。
【００１０】
（４）上記多孔質充填剤または吸油性を有する化合物の表面が、疎水化処理または親水化処理されていることを特徴とする上記（１）〜（３）のいずれかに記載の熱硬化性光反射用樹脂組成物。
【００１１】
（５）上記多孔質充填剤または吸油性を有する化合物の見掛け密度が、０．４ｇ／ｃｍ３以上であることを特徴とする上記（１）〜（４）のいずれかに記載の熱硬化性光反射用樹脂組成物。
【００１２】
（６）上記（Ｄ）無機充填剤および上記（Ｅ）白色顔料の合計量を基準として、上記多孔質充填剤または吸油性を有する化合物の含有量が、０．１体積％〜２０体積％の範囲であることを特徴とする上記（１）〜（５）のいずれかに記載の熱硬化性光反射用樹脂組成物。
【００１３】
（７）上記（Ｄ）無機充填剤が、多孔質構造または吸油性を持たないシリカ、水酸化アルミニウム、水酸化マグネシウム、硫酸バリウム、炭酸マグネシウム、炭酸バリウムからなる群の中から選ばれる少なくとも１種を含むことを特徴とする上記（１）〜（６）のいずれかに記載の熱硬化性光反射用樹脂組成物。
【００１４】
（８）上記（Ｅ）白色顔料が、アルミナ、酸化マグネシウム、酸化アンチモン、酸化チタン、酸化ジルコニウム、無機中空粒子からなる群の中から選ばれる少なくとも１種であることを特徴とする上記（１）〜（７）のいずれかに記載の熱硬化性光反射用樹脂組成物。
【００１５】
（９）上記（Ｅ）白色顔料の平均粒径が、０．１〜５０μｍの範囲にあることを特徴とする上記（１）〜（８）のいずれかに記載の熱硬化性光反射用樹脂組成物。
【００１６】
（１０）上記（Ｄ）無機充填剤と上記（Ｅ）白色顔料の合計含有量が、樹脂組成物全体に対して、１０体積％〜８５体積％の範囲であることを特徴とする上記（１）〜（９）のいずれかに記載の熱硬化性光反射用樹脂組成物。
【００１７】
（１１）上記（１）〜（１０）のいずれかに記載の熱硬化性光反射用樹脂組成物を用いてなることを特徴とする光半導体素子搭載用基板。
【００１８】
（１２）光半導体素子搭載領域となる凹部が１つ以上形成されている光半導体素子搭載用基板であって、少なくとも上記凹部の内周側面が上記（１）〜（１０）のいずれかに記載の光反射用熱硬化性樹脂組成物からなることを特徴とする光半導体素子搭載用基板。
【００１９】
（１３）光半導体素子搭載領域となる凹部が１つ以上形成されている光半導体素子搭載用基板の製造方法であって、少なくとも上記凹部を上記（１）〜（１０）のいずれかに記載の光反射用熱硬化性樹脂組成物を用いたトランスファー成型により形成することを特徴とする光半導体搭載用基板の製造方法。
【００２０】
（１４）上記（１２）に記載の光半導体素子搭載用基板と、上記光半導体素子搭載用基板の凹部底面に搭載された光半導体素子と、上記光半導体素子を覆うように上記凹部内に形成された蛍光体含有透明封止樹脂層とを少なくとも備える光半導体装置。
【００２１】
なお、本発明において「多孔質充填剤」とは、比表面積が１０ｍ２／ｇ以上の充填剤を意味し、「吸油性を有する化合物」とは、ＪＩＳ  Ｋ５１０１に規定される吸油量が１０ｍｌ／１００ｇ以上の化合物を意味する。
【発明の効果】
【００２２】
本発明によれば、タブレット成型時に使用する金型の杵型や臼型の表面に付着することがなく、優れた機械的強度を有するタブレット成型体を得ることが可能な熱硬化性光反射用樹脂組成物、ならびに当該樹脂組成物を用いた光半導体素子搭載用基板とその製造方法および光半導体装置を提供することが可能となる。
【図面の簡単な説明】
【００２３】
【図１】金型を使用して熱硬化性樹脂からなるタブレットを成型する際の金型に対する樹脂組成物の付着を説明する概略図である。
【図２】本発明の光半導体素子搭載用基板の一実施形態を示す図であり、（ａ）は斜視図、（ｂ）は側面断面図である。
【図３】本発明の光半導体素子搭載用基板の製造方法を説明する概略図であり、（ａ）〜（ｃ）はトランスファー成型によって基板を製造する場合の各工程に対応する。
【図４】本発明の光半導体装置の一実施形態を示す図であり、（ａ）および（ｂ）はそれぞれ装置の構造を模式的に示す側面断面図である。
【図５】一般的なＳＭＤタイプのＬＥＤ（光半導体装置）を示す側面断面図である。
【発明を実施するための形態】
【００２４】
本発明の熱硬化性光反射用樹脂組成物は、（Ａ）エポキシ樹脂、（Ｂ）硬化剤、（Ｃ）硬化触媒、（Ｄ）無機充填剤、（Ｅ）白色顔料、および（Ｆ）カップリング剤を含み、上記（Ｄ）無機充填剤および上記（Ｅ）白色顔料の少なくとも一方の成分として、多孔質充填剤または吸油性を有する化合物を含むことを特徴とするものである。もちろん、上記（Ｄ）無機充填剤および上記（Ｅ）白色顔料の少なくとも一方の成分として、多孔質構造を有し、さらに吸油性を有する化合物を用いてもよい。
【００２５】
上記多孔質充填剤または吸油性を有する化合物としては、特に限定されないが、例えば、多孔質構造もしくは吸油性を有するシリカ、アルミナ、酸化マグネシウム、酸化アンチモン、酸化チタン、酸化ジルコニウム、水酸化アルミニウム、水酸化マグネシウム、硫酸バリウム、炭酸マグネシウム、炭酸バリウム、ゼオライト、ノルボルネンゴム、アクリロニトリル・ブタジエン・スチレン共重合樹脂等を挙げることができ、これらは単独で使用しても、併用しても構わない。熱伝導性、光反射特性、成型性の点からは、シリカ、アルミナまたはこれらの混合物が好ましい。
【００２６】
また、上記多孔質充填剤または吸油性を有する化合物の形状としては、特に限定されず、例えば、真球状、破砕状、円盤状、棒状、繊維状等のものを用いることができる。トランスファー成型時の金型内の流動性を考慮すると真球状、破砕状のものが好ましく、真球状のものがより好ましい。
【００２７】
また、上記多孔質充填剤または吸油性を有する化合物は、その表面が物理的または化学的に親水化処理または疎水化処理されていてもよい。好ましくは表面が疎水化処理されたものであり、吸油量（ＪＩＳ  Ｋ５１０１に準ずる規定量）が５０ｍｌ／１００ｇ以上となるように化学的に疎水化処理されたものであることがより好ましい。表面が疎水化処理された多孔質充填剤または吸油性を有する化合物を用いることで、上記（Ａ）エポキシ樹脂や上記（Ｂ）硬化剤との接着性が増加し、結果として熱硬化物の機械強度やトランスファー成型時の流動性が向上する。また、吸油量５０ｍｌ／１００ｇ以上となるように表面が疎水化処理された多孔質充填剤または吸油性を有する化合物を用いることで、上記（Ａ）エポキシ樹脂との接着性が向上するとともに、混錬後の樹脂組成物のポットライフ低下を抑制することができ、また、熱硬化時に着色を抑制することもできる。このような疎水化処理が施された多孔質充填剤としては、例えば、富士シリシア化学株式会社から販売されているサイロホービック７０２等を挙げることができる。
【００２８】
また、上記多孔質充填剤または吸油性を有する化合物の見掛け密度は、特に限定されないが、０．４ｇ／ｃｍ３以上であることが好ましく、０．４〜２．０ｇ／ｃｍ３であることがより好ましい。なお、見掛け密度とは、多孔質充填剤または吸油性を有する化合物の素原料が占める密度と微細孔の占める空間（即ち細孔容積）とを考慮した密度のことである。この見掛け密度が０．４ｇ／ｃｍ３に満たない場合は、充填剤粒子の機械的強度が小さく、ミキシングロールミル等のせん断力を生じるような溶融混錬時において、粒子が破壊されてしまうおそれがある。一方、見掛け密度が２．０ｇ／ｃｍ３を超える場合は、タブレット成型時に臼型と杵型の金型表面に樹脂組成物が付着し易くなる傾向にある。
【００２９】
また、上記多孔質充填剤または吸油性を有する化合物の平均粒径は、０．１〜１００μｍであることが好ましく、白色顔料とのパッキング効率を考慮すると１〜１０μｍの範囲であることがより好ましい。平均粒径が１００μｍよりも大きく、または０．１μｍよりも小さくなると、トランスファー成型する際の溶融時に樹脂組成物の流動性が悪くなる傾向にある。
【００３０】
また、上記多孔質充填剤または吸油性を有する化合物の比表面積は、１００〜１０００ｍ２／ｇであることが好ましく、３００〜７００ｍ２／ｇであることがより好ましい。比表面積が１００ｍ２／ｇよりも小さくなると充填剤による樹脂の吸油量が小さくなり、タブレット成型時に杵型に樹脂が付着し易くなる傾向にあり、比表面積が１０００ｍ２／ｇよりも大きくなると、トランスファー成型する際の溶融時に樹脂組成物の流動性が悪くなる傾向にある。
【００３１】
また、上記多孔質充填剤または吸油性を有する化合物の含有量は、特に限定されないが、（Ｄ）無機充填剤および（Ｅ）白色顔料の合計量を基準として、０．１体積％〜２０体積％の範囲であることが好ましい。溶融時の樹脂組成物の成型性を考慮すると、１体積％〜５体積％であることがより好ましい。この含有量が０．１体積％よりも小さい場合は、樹脂組成物の一部が臼型と杵型の成型金型表面に付着し易くなり、２０体積％よりも大きい場合は、トランスファー成型する際の溶融時に樹脂組成物の流動性が低下する傾向にある。例えば、上記多孔質充填剤として上記サイロホービック７０２を用いる場合には、その含有量を、樹脂組成物の溶融時の流動性や樹脂硬化物の強度の観点から５体積％以下とすることが好ましい。
【００３２】
本発明の樹脂組成物に含まれる上記（Ａ）エポキシ樹脂としては、従来の熱硬化性光反射用樹脂組成物やエポキシ樹脂成型材料として通常配合されているものであれば、特に制限されることなく用いることができる。それを例示すれば、フェノールノボラック型エポキシ樹脂、オルソクレゾールノボラック型エポキシ樹脂をはじめとするフェノール類とアルデヒド類のノボラック樹脂をエポキシ化したもの、ビスフェノールＡ、ビスフェノールＦ、ビスフェノールＳ、アルキル置換ビスフェノール等のジグリシジルエーテル、ジアミノジフェニルメタン、イソシアヌル酸等のポリアミンとエピクロルヒドリンの反応により得られるグリシジルアミン型エポキシ樹脂、オレフィン結合を過酢酸等の過酸で酸化して得られる線状脂肪族エポキシ樹脂、脂環族エポキシ樹脂等が挙げられ、これらは単独でも二種以上併用してもよい。また、これらエポキシ樹脂のうち、比較的着色のないものが好ましく、例えば、ビスフェノールＡ型エポキシ樹脂、ビスフェノールＦ型エポキシ樹脂、ビスフェノールＳ型エポキシ樹脂、ジグリシジルイソシアヌレート、トリグリシジルイソシアヌレートを挙げることができる。
【００３３】
上記（Ｂ）硬化剤としては、エポキシ樹脂と反応するものであれば、特に制限されることなく用いることができるが、比較的着色のないものが好ましい。例えば、酸無水物硬化剤、イソシアヌル酸誘導体、フェノール系硬化剤等が挙げられる。酸無水物系硬化剤としては、例えば、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、無水ジメチルグルタル酸、無水ジエチルグルタル酸、無水コハク酸、メチルヘキサヒドロ無水フタル酸、メチルテトラヒドロ無水フタル酸等が挙げられ、イソシアヌル酸誘導体としては、１，３，５−トリス（１−カルボキシメチル）イソシアヌレート、１，３，５−トリス（２−カルボキシエチル）イソシアヌレート、１，３，５−トリス（３−カルボキシプロピル）イソシアヌレート、１，３−ビス（２−カルボキシエチル）イソシアヌレート等が挙げられる。これらの硬化剤の中では、無水フタル酸、無水トリメリット酸、ヘキサヒドロ無水フタル酸、テトラヒドロ無水フタル酸、メチルヘキサヒドロ無水フタル酸、メチルテトラヒドロ無水フタル酸、無水グルタル酸、無水ジメチルグルタル酸、無水ジエチルグルタル酸、１，３，５−トリス（３−カルボキシプロピル）イソシアヌレートを用いることが好ましい。硬化剤は、その分子量が１００〜４００程度のものが好ましく、また、無色ないし淡黄色のものが好ましい。
【００３４】
また、（Ａ）エポキシ樹脂と（Ｂ）硬化剤の配合比は、（Ａ）エポキシ樹脂中のエポキシ基１当量に対して、当該エポキシ基と反応可能な（Ｂ）硬化剤中の活性基（酸無水物基や水酸基）が０．５〜１．２当量となるような割合であることが好ましく、０．６〜０．８当量となるような割合であることがより好ましい。上記活性基が０．５当量未満の場合には、エポキシ樹脂組成物の硬化速度が遅くなるとともに、得られる硬化物のガラス転移温度が低くなり、充分な弾性率が得られない場合がある。一方、上記活性基が１．２当量を超える場合には、硬化後の強度が減少する場合がある。
【００３５】
上記（Ｃ）硬化触媒（硬化促進剤）としては、特に限定されるものではなく、例えば、１，８−ジアザ−ビシクロ（５，４，０）ウンデセン−７、トリエチレンジアミン、トリ−２，４，６−ジメチルアミノメチルフェノール等の３級アミン類、２−エチル−４メチルイミダゾール、２−メチルイミダゾール等のイミダゾール類、トリフェニルホスフィン、テトラフェニルホスホニウムテトラフェニルボレート、テトラ−ｎ−ブチルホスホニウム−ｏ，ｏ−ジエチルホスホロジチオエート、テトラ−ｎ−ブチルホスホニウム−テトラフルオロボレート、テトラ−ｎ−ブチルホスホニウム−テトラフェニルボレート等のリン化合物、４級アンモニウム塩、有機金属塩類、およびこれらの誘導体等が挙げられる。これらは単独で使用してもよく、あるいは併用してもよい。これらの（Ｃ）硬化触媒の中では、３級アミン類、イミダゾール類、リン化合物を用いることが好ましい。
【００３６】
上記（Ｃ）硬化触媒の含有率は、上記（Ａ）エポキシ樹脂に対して、０．０１〜８．０重量％であることが好ましく、より好ましくは、０．１〜３．０重量％である。（Ｃ）硬化触媒の含有率が０．０１％重量未満では、硬化促進効果を十分に得られない場合があり、また８．０重量％を超えると、得られる成型体に変色が見られる場合がある。
【００３７】
上記多孔質充填剤または吸油性を有する化合物以外の上記（Ｄ）無機充填剤としては、特に限定されない。例えば、多孔質構造または吸油性を持たないシリカ、水酸化アルミニウム、水酸化マグネシウム、硫酸バリウム、炭酸マグネシウム、炭酸バリウム等を用いることができ、これらは単独でも２種以上を併用しても構わない。熱伝導性、光反射特性、成型性の点から、シリカ、水酸化アルミニウム、水酸化マグネシウム、またはこれらの混合物が好ましい。また、（Ｄ）無機充填剤の平均粒径は、特に限定されるものではないが、白色顔料とのパッキングが効率良くなるように１〜１００μｍの範囲のものを用いることが好ましい。
【００３８】
上記（Ｅ）白色顔料としては、特に限定されないが、例えば、アルミナ、酸化マグネシウム、酸化アンチモン、酸化チタン、酸化ジルコニウム、無機中空粒子等を用いることができ、これらは単独でも２種以上を併用しても構わない。また、上記無機中空粒子としては、例えば、珪酸ソーダガラス、アルミ珪酸ガラス、硼珪酸ソーダガラス、シラス等が挙げられる。また、上記（Ｅ）白色顔料の平均粒径は、０．１〜５０μｍの範囲にあることが好ましい。０．１μｍ未満であると粒子が凝集しやすく分散性が悪くなる傾向にあり、５０μｍを超えると硬化物の反射特性が十分に得られない傾向にある。  
また、上記（Ｄ）無機充填剤と上記（Ｅ）白色顔料の合計含有量は、樹脂組成物全体に対して、１０体積％〜８５体積％の範囲であることが好ましい。合計含有量が１０体積％未満であると硬化物の光反射特性が十分得られない傾向にあり、８５体積％を超えると樹脂組成物の成型性が悪くなり、基板の作製が困難となる傾向にある。
【００３９】
上記（Ｆ）カップリング剤としては、特に限定されないが、例えば、シランカップリング剤やチタネート系カップリング剤を用いることができる。シランカップリング剤としては、一般にエポキシシラン系、アミノシラン系、カチオニックシラン系、ビニルシラン系、アクリルシラン系、メルカプトシラン系及びこれらの複合系等を任意の割合で用いることができる。また、上記（Ｆ）カップリング剤の種類や処理条件は、特に限定されないが、その配合量は、樹脂組成物全体に対して、５重量％以下とすることが好ましい。
【００４０】
また、本発明の樹脂組成物には、上記成分（Ａ）〜（Ｆ）に加え、必要に応じて、公知の酸化防止剤、離型剤、イオン補足剤等の添加剤を添加してもよい。
【００４１】
以上のような成分を含有する本発明の熱硬化性光反射用樹脂組成物は、熱硬化前、室温（０〜３０℃）において加圧成型（タブレット成型）可能であることが望ましく、また、熱硬化後の、波長３５０ｎｍ〜８００ｎｍにおける光反射率が８０％以上であることが望まれる。上記光反射率が８０％未満であると、光半導体装置の輝度向上に十分に寄与できない傾向がある。より好ましい光反射率は９０％以上である。なお、上記加圧成型は、例えば、室温において、５〜５０ＭＰａ、１〜５秒程度の条件下で成型を行うことができればよい。また、加圧成型（タブレット成型）時に用いる金型は、特に限定されないが、例えば、セラミックス系材料やフッ素系樹脂材料等からなる臼型と杵型との一対または凹部を有する上金型と下金型との一対等で構成されるものを用いることが好ましい。また、タブレット着色の恐れがない白色の材料からなる金型を用いることが好ましい。
【００４２】
また、本発明の熱硬化性光反射用樹脂組成物は、上記した各種成分を均一に分散混合することで得ることができ、その手段や条件等は特に限定されないが、一般的な手法として、所定配合量の成分をミキサー等によって十分均一に撹拌、混合した後、ミキシングロール、押出機、ニーダー、ロール、エクストルーダー等によって（溶融）混練し、さらに、冷却、粉砕する方法を挙げることができる。（溶融）混練の条件は、成分の種類や配合量により適宜決定すればよく、特に限定されないが、１５〜１００℃の範囲で５〜４０分間（溶融）混練することが好ましく、２０〜１００℃の範囲で１０〜３０分間（溶融）混練することがより好ましい。（溶融）混練温度が１５℃未満であると、各成分を（溶融）混練させることが困難であり、分散性も低下する傾向にあり、１００℃よりも高温であると、樹脂組成物の高分子量化が進行し、樹脂組成物が硬化してしまう恐れがある。
【００４３】
本発明の光半導体素子搭載用基板は、本発明の熱硬化性光反射用樹脂組成物を用いてなるものであり、例えば、光半導体素子搭載領域となる凹部が１つ以上形成されており、少なくとも上記凹部の内周側面が本発明の熱硬化性光反射用樹脂組成物からなることを特徴とする。図２は、本発明の光半導体素子搭載用基板の一実施形態を示すものであり、（ａ）は斜視図、（ｂ）は側面断面図である。図２に示す本発明の光半導体素子搭載用基板１１０は、リフレクター１０３と、Ｎｉ／Ａｇめっき１０４および金属配線１０５の含む配線パターン（リードフレーム）とが一体化され、光半導体素子搭載領域となる凹部２００が形成された構造を有し、少なくとも凹部２００の側壁を形成するリフレクターの内周側面が本発明の熱硬化性光反射用樹脂組成物から構成されることを特徴とする。
【００４４】
本発明の光半導体素子搭載用基板の製造方法は、特に限定されないが、例えば、本発明の熱硬化性光反射用樹脂組成物をトランスファー成型によって製造することが好ましい。図３は、本発明の光半導体素子搭載用基板の製造方法を説明する概略図であり、図３（ａ）〜（ｃ）はトランスファー成型によって基板を製造する場合の各工程に対応する。より具体的には、光半導体素子搭載用基板は、図３（ａ）に示すように、金属箔から打ち抜きやエッチング等の公知の方法により金属配線１０５を形成し、次いで該金属配線１０５を所定形状の金型３０１に配置し（図３（ｂ））、金型３０１の樹脂注入口３００から本発明の熱硬化性光反射用樹脂組成物を注入する。次いで、注入した樹脂組成物を、好ましくは金型温度１７０〜１９０℃、成形圧力２〜８ＭＰａで６０〜１２０秒にわたって硬化させた後に金型３０１を外し、アフターキュア温度１２０℃〜１８０℃で１〜３時間にわたって熱硬化させる。次いで、硬化した熱硬化性光反射用樹脂組成物からなるリフレクター１０３に周囲を囲まれてなる光半導体素子搭載領域（凹部）（図２の参照符号２００）の所定位置に、電気めっきによりＮｉ／銀めっき１０４を施すことで製造することができる（図３（ｃ））。
【００４５】
また、本発明の光半導体素子搭載用基板を用いた光半導体装置は、例えば、本発明の光半導体素子搭載用基板と、光半導体素子搭載用基板の凹部底面に搭載される光半導体素子と、光半導体素子を覆うように凹部内に形成される蛍光体含有透明封止樹脂層とを少なくとも備える。図４（ａ）および図４（ｂ）は、それぞれ本発明の光半導体装置の一実施形態を示す側面断面図である。より具体的には、図４に示した光半導体装置では、本発明の光半導体素子搭載用基板１１０の光半導体素子搭載領域における底部（凹部）の所定位置に光半導体素子１００が搭載され、該光半導体素子１００と金属配線１０５とがボンディングワイヤ１０２やはんだバンプ１０７等の公知の方法によりＮｉ／銀メッキ１０４を介して電気的に接続され、該光半導体素子１００が公知の蛍光体１０６を含む透明封止樹脂１０１により覆われている。
【実施例】
【００４６】
以下、本発明を実施例により詳述するが、本発明は以下の記載に限定されるものではない。
【００４７】
（実施例１〜５、比較例１〜３）
１．熱硬化性光反射用樹脂組成物の調製
表１に示した配合表に従って各成分を配合し、ミキサーによって十分混練した後、ミキシングロールにより所定条件で溶融混練し、冷却、粉砕を行い、実施例１〜５および比較例１〜３の熱硬化性光反射用樹脂組成物を調製した。なお、表中の各成分の配合量の単位は重量部であり、空欄は配合無しを表す。
【００４８】
２．熱硬化性光反射用樹脂組成物の評価
各実施例及び各比較例の樹脂組成物について、下記試験方法により硬化物の光反射性とタブレット成型性を評価した。結果を表１に示す。
【００４９】
（光反射性試験）
各実施例及び各比較例の樹脂組成物を、成型型温度１８０℃、成型圧力６．９ＭＰａ、キュア時間９０秒の条件でトランスファー成型した後、１５０℃で２時間ポストキュアすることにより、厚み１．０ｍｍのテストピースを作製した。ついで、積分球型分光光度計Ｖ−７５０型（日本分光株式会社製）にて波長４００ｎｍにおける光反射率を測定し、下記の評価基準により各テストピースの光反射性を評価した。
・評価基準
○：光波長４００ｎｍにおいて光反射率８０％以上  
△：光波長４００ｎｍにおいて光反射率７０％以上８０％未満  
×：光波長４００ｎｍにおいて光反射率７０％未満
【００５０】
（タブレット成型試験）
材質がアルミナで樹脂との接触表面が超硬合金である杵型と臼型の一対から構成された成型金型を用い（図１を参照）、各実施例及び各比較例の樹脂組成物を、室温（２５℃）、成型圧力５ＭＰａ、１０ＭＰａ、３０ＭＰａ、３秒間の各条件下で加圧成型し、タブレットを作製した。  
その後、樹脂組成物の杵表面への張り付きおよびそれによるタブレットの破壊、ならびに得られたタブレットのひび割れを下記の評価基準により評価した。
・樹脂組成物の張り付き、タブレットの破壊の評価基準
○：目視にて張り付き、タブレットの破壊が確認できない。  
×：目視にて張り付き、タブレットの破壊が認められる。
・タブレットのひび割れの評価基準
○：目視にてタブレットのひび割れが確認できない。  
×：目視にてタブレットのひび割れが認められる。
【００５１】
【表１】
2014225675.tif 000003
【００５２】
（注記）
表１における各成分の詳細は以下のとおりである。
【００５３】
（１）トリグリシジルイソシアヌレート：エポキシ当量１００、日産化学工業株式会社製、商品名「ＴＥＰＩＣ−Ｓ」
（２）ヘキサヒドロ無水フタル酸：和光純薬株式会社製、エポキシ基と反応可能な活性基当量１５４
（３）テトラ−ｎ−ブチルホスホニウム−ｏ，ｏ−ジエチルホスホロジチオエート：日本化学工業株式会社製、商品名「ＰＸ−４ＥＴ」
（４）トリメトキシエポキシシラン：東レダウコーニング株式会社製、商品名「Ａ−１８７」
（５）脂肪酸エステル（クラリアント株式会社製、商品名「ヘキストワックスＥ」）
（６）脂肪族エーテル（東洋ペトロライト株式会社製、商品名「ユニトックス４２０」）
（７）溶融球状シリカ１（電気化学工業株式会社製、商品名「ＦＢ−９５０」）
（８）溶融球状シリカ２（電気化学工業株式会社製、商品名「ＦＢ−３０１」）
（９）結晶破砕状シリカ（電気化学工業株式会社製、商品名「ＦＳ３０」
（１０）中空粒子（住友３Ｍ株式会社製、商品名「Ｓ６０−ＨＳ」、ホウ珪酸ガラス）
（１１）アルミナ（アドマテックス株式会社製、商品名「ＡＯ−２５Ｒ」）
（１２）多孔質球状シリカ（富士シリシア化学株式会社製、商品名「サイロスフィアＣ−１５０４」、平均粒径３μｍ、見掛け密度０．５８ｇ／ｍｌ、比表面積３００ｍ２／ｇ）
（１３）多孔質無定形状シリカ（富士シリシア化学株式会社製、商品名「サイロホービック７０２」、平均粒径４μｍ、見掛け密度０．４８ｇ／ｍｌ、比表面積３００ｍ２／ｇ）
（１４）多孔質無定形状シリカ（富士シリシア化学株式会社製、商品名「サイリシア４３５」、平均粒径４μｍ、見掛け密度０．４８ｇ／ｍｌ、比表面積３００ｍ２／ｇ）
【００５４】
表１に示したように、実施例１〜５の本発明による熱硬化性光反射用樹脂組成物は、硬化物の光反射特性に優れ、タブレット打錠時に杵、臼に付着することがなく、得られるタブレットの機械的強度にも優れていることがわかる。トランスファー成型を行う場合においては、今後、成型自動化と連続成型を行うためにロボットアーム等の装置を用いることが想定されるが、本発明の熱硬化性光反射用樹脂組成物を用いることで、アームがタブレットをグリップする際にタブレットを破壊してしまう等の不具合が発生することなく、自動連続成型することが可能になる。その結果、光半導体素子搭載用基板及び光半導体装置の製造工程において、歩留まりが大幅に改善され、コストや製造時間等生産性の面で非常に有利となる。
【符号の説明】
【００５５】
１  臼型
２  上杵型
３  下杵型
４  タブレット（樹脂組成物）
５  杵型に付着した樹脂組成物
１００  光半導体素子（ＬＥＤ素子）
１０１  透明封止樹脂
１０２  ボンディングワイヤ
１０３  熱硬化性光反射用樹脂組成物からなるリフレクター
１０４  Ｎｉ／Ａｇめっき
１０５  金属配線
１０６  蛍光体
１０７  はんだバンプ
１１０  光半導体素子搭載用基板
２００  光半導体素子搭載領域（凹部）
３００  樹脂注入口
３０１  トランスファー成型用金型
４００  ＬＥＤ素子
４０１  ボンディングワイヤ
４０２  透明封止樹脂
４０３  リフレクター
４０４  リード
４０５  蛍光体
４０６  ダイボンド材
【図１】
2014225675.tif 000004
【図２】
2014225675.tif 000005
【図３】
2014225675.tif 000006
【図４】
2014225675.tif 000007
【図５】
2014225675.tif 000008